(57)【特許請求の範囲】
【請求項１】
複数の画像信号に基づき、所定の順序で画像を並べてなるインデックス画像を作成するインデックス画像作成手段と、
前記インデックス画像中の任意の画像に対して拡大表示指示可能な拡大表示指示手段と、
前記拡大表示指示手段によって指示されたインデックス画像の位置に応じて予め定められた方向に、前記拡大表示指示されたインデックス画像を拡大処理する拡大処理手段と、
前記拡大処理手段による拡大処理に応じて、前記拡大処理の対象となる画像の予め定められた方向に隣接する前記インデックス画像を縮小処理する縮小処理手段と、
前記拡大処理手段で拡大処理された拡大画像信号と前記縮小処理手段で縮小処理された縮小画像信号と前記拡大処理もしくは前記縮小処理がなされていない画像信号に基づき、前記所定の順序と対応した順序を表す画像配列の合成画像信号を生成する合成画像生成手段と、
を備えたことを特徴とする画像診断装置。
【請求項２】
複数の画像信号に基づき、所定の順序で画像を並べてなるインデックス画像を作成するインデックス画像作成手段と、
インデックス画像中の任意の画像に対して拡大指示可能な拡大表示指示手段と、
前記拡大表示指示手段によって指示されたインデックス画像の位置に応じて予め定められた方向に、前記拡大表示指示されたインデックス画像を拡大処理する拡大処理手段と、
前記拡大処理手段による拡大処理に応じて、前記拡大処理の対象となる画像の予め定められた方向に隣接する前記インデックス画像を縮小処理する縮小処理手段と、
前記拡大表示指示手段によって指示された画像に対応する前記インデックス画像に対して該画像を特定する疑似画像信号を特定する疑似画像信号生成手段と、
前記縮小インデックス画像信号と前記疑似画像信号とに基づき、前記所定の順序と対応した順序を表す画像配列の補助画像信号を生成する補助画像信号生成手段と、
前記補助画像信号生成手段で生成された補助画像信号と前記拡大処理手段で生成された拡大画像信号とに基づき、合成画像信号を生成する合成画像信号生成手段と、
を備えたことを特徴とする画像診断装置。
【請求項３】
複数の画像信号に基づき、所定の順序で画像を並べてなるインデックス画像を作成するインデックス画像作成工程と、
前記インデックス画像中の任意の画像に対して拡大表示指示可能な拡大表示指示工程と、
前記拡大表示指示工程によって指示されたインデックス画像の位置に応じて予め定められた方向に、前記拡大表示指示されたインデックス画像を拡大処理する拡大処理工程と、
前記拡大処理工程による拡大処理に応じて、前記拡大処理の対象となる画像の予め定められた方向に隣接する前記インデックス画像を縮小処理する縮小処理工程と、
前記拡大処理工程で拡大処理された拡大画像信号と前記縮小処理工程で縮小処理された縮小画像信号と前記拡大処理もしくは前記縮小処理がなされていない画像信号に基づき、前記所定の順序と対応した順序を表す画像配列の合成画像信号を生成する合成画像生成工程と、
を備えたことを特徴とする診断画像表示方法。
【請求項４】
複数の画像信号に基づき、所定の順序で画像を並べてなるインデックス画像を作成するインデックス画像作成工程と、
インデックス画像中の任意の画像に対して拡大指示可能な拡大表示指示工程と、
前記拡大表示指示工程によって指示されたインデックス画像の位置に応じて予め定められた方向に、前記拡大表示指示されたインデックス画像を拡大処理する拡大処理工程と、
前記拡大処理工程による拡大処理に応じて、前記拡大処理の対象となる画像の予め定められた方向に隣接する前記インデックス画像を縮小処理する縮小処理工程と、
前記拡大表示指示工程によって指示された画像に対応する前記インデックス画像に対して該画像を特定する疑似画像信号を特定する疑似画像信号生成工程と、
前記縮小インデックス画像信号と前記疑似画像信号とに基づき、前記所定の順序と対応した順序を表す画像配列の補助画像信号を生成する補助画像信号生成工程と、
前記補助画像信号生成工程で生成された補助画像信号と前記拡大処理工程で生成された拡大画像信号とに基づき、合成画像信号を生成する合成画像信号生成工程と、
を備えたことを特徴とする診断画像表示方法。
【発明の詳細な説明】
【０００１】
【発明の属する技術分野】
本発明は、被検体内に挿入される内視鏡から得られた撮像信号を画像処理して診断画像を提供できる内視鏡診断システムにおける画像診断装置および診断画像表示方法に関するものである。
【０００２】
【従来の技術】
この種の内視鏡診断システムは、被検体内に挿入される内視鏡から得られた撮像信号を画像処理して診断画像を表示できるようにしたシステムとして提供されていることは周知のとおりである。
【０００３】
かかる内視鏡診断システムは、被検体内に挿入される内視鏡と、当該内視鏡に照明光を供給するとともに当該内視鏡で撮像した撮像信号を処理し、その内視鏡画像を表示できる内視鏡補助装置と、前記内視鏡補助装置で得た画像データを蓄える画像ファイル装置と、前記画像ファイル装置にアクセスして内視鏡画像を得てこの内視鏡画像を画像処理し診断のために提供できる画像診断装置とを備えたものが一般的である。
【０００４】
このような内視鏡診断システムによれば、内視鏡診断などにおいて、例えば、内視鏡検査中に画像ファイル装置に複数の内視鏡画像を記録する。この内視鏡検査後に、前記画像ファイル装置に記録された内視鏡画像を表示させて再度確認する。これによって、診断部位の正常異常などの診断を行っている。
【０００５】
そのため、前記画像診断装置としては、上記画像ファイル装置に記録された複数の画像を縮小画像（インデックス画像）としてモニタに表示し、その中から選択された画像を拡大表示する機能を有しているものが提供されている。
【０００６】
また、上記従来の内視鏡診断システムにおいても、インデックス画像の中から複数の内視鏡画像を指定し、その内視鏡画像を同時に拡大表示し、両画像間で比較診断をう行なうための機能などを有している。
【０００７】
【発明が解決しようとする課題】
しかしながら、上述した従来の内視鏡診断システムの画像診断装置では、インデックス画像の中から指定された画像を拡大表示する際に、拡大した画像の周辺の画像がモニタ画面から欠落してしまうことがあった。そのため、当該システムの画像診断装置を使用する者は、欠落した内視鏡画像を再度表示させて確認しなければならず、操作が煩雑で使用勝手が悪いく、かつ診断にも時間がかかるという欠点があった。
【０００８】
（発明の目的）
本発明は、上述した欠点を解決するためになされたものであって、複数のインデックス画像のうち所定のインデックス画像を拡大してもモニタ画面から欠落する画像がないようにした画像診断装置および診断画像表示方法を提供することを目的とする。
【０００９】
【課題を解決するための手段】
本発明による画像診断装置は、複数の画像信号に基づき、所定の順序で画像を並べてなるインデックス画像を作成するインデックス画像作成手段と、前記インデックス画像中の任意の画像に対して拡大表示指示可能な拡大表示指示手段と、前記拡大表示指示手段によって指示されたインデックス画像の位置に応じて予め定められた方向に、前記拡大表示指示されたインデックス画像を拡大処理する拡大処理手段と、前記拡大処理手段による拡大処理に応じて、前記拡大処理の対象となる画像の予め定められた方向に隣接する前記インデックス画像を縮小処理する縮小処理手段と、前記拡大処理手段で拡大処理された拡大画像信号と前記縮小処理手段で縮小処理された縮小画像信号と前記拡大処理もしくは前記縮小処理がなされていない画像信号に基づき、前記所定の順序と対応した順序を表す画像配列の合成画像信号を生成する合成画像生成手段と、を備えたことを特徴とする。
また、本発明による画像診断装置は、複数の画像信号に基づき、所定の順序で画像を並べてなるインデックス画像を作成するインデックス画像作成手段と、インデックス画像中の任意の画像に対して拡大指示可能な拡大表示指示手段と、前記拡大表示指示手段によって指示されたインデックス画像の位置に応じて予め定められた方向に、前記拡大表示指示されたインデックス画像を拡大処理する拡大処理手段と、前記拡大処理手段による拡大処理に応じて、前記拡大処理の対象となる画像の予め定められた方向に隣接する前記インデックス画像を縮小処理する縮小処理手段と、前記拡大表示指示手段によって指示された画像に対応する前記インデックス画像に対して該画像を特定する疑似画像信号を特定する疑似画像信号生成手段と、前記縮小インデックス画像信号と前記疑似画像信号とに基づき、前記所定の順序と対応した順序を表す画像配列の補助画像信号を生成する補助画像信号生成手段と、前記補助画像信号生成手段で生成された補助画像信号と前記拡大処理手段で生成された拡大画像信号とに基づき、合成画像信号を生成する合成画像信号生成手段と、を備えたことを特徴とする。
【００１０】
そして、本発明による診断画像表示方法は、複数の画像信号に基づき、所定の順序で画像を並べてなるインデックス画像を作成するインデックス画像作成工程と、前記インデックス画像中の任意の画像に対して拡大表示指示可能な拡大表示指示工程と、前記拡大表示指示工程によって指示されたインデックス画像の位置に応じて予め定められた方向に、前記拡大表示指示されたインデックス画像を拡大処理する拡大処理工程と、前記拡大処理工程による拡大処理に応じて、前記拡大処理の対象となる画像の予め定められた方向に隣接する前記インデックス画像を縮小処理する縮小処理工程と、前記拡大処理工程で拡大処理された拡大画像信号と前記縮小処理工程で縮小処理された縮小画像信号と前記拡大処理もしくは前記縮小処理がなされていない画像信号に基づき、前記所定の順序と対応した順序を表す画像配列の合成画像信号を生成する合成画像生成工程と、を備えたことを特徴とする。
また、本発明による診断画像表示方法は、複数の画像信号に基づき、所定の順序で画像を並べてなるインデックス画像を作成するインデックス画像作成工程と、インデックス画像中の任意の画像に対して拡大指示可能な拡大表示指示工程と、前記拡大表示指示工程によって指示されたインデックス画像の位置に応じて予め定められた方向に、前記拡大表示指示されたインデックス画像を拡大処理する拡大処理工程と、前記拡大処理工程による拡大処理に応じて、前記拡大処理の対象となる画像の予め定められた方向に隣接する前記インデックス画像を縮小処理する縮小処理工程と、前記拡大表示指示工程によって指示された画像に対応する前記インデックス画像に対して該画像を特定する疑似画像信号を特定する疑似画像信号生成工程と、前記縮小インデックス画像信号と前記疑似画像信号とに基づき、前記所定の順序と対応した順序を表す画像配列の補助画像信号を生成する補助画像信号生成工程と、前記補助画像信号生成工程で生成された補助画像信号と前記拡大処理工程で生成された拡大画像信号とに基づき、合成画像信号を生成する合成画像信号生成工程と、を備えたことを特徴とする。
【００１１】
【発明の実施の形態】
以下、図面を参照して本発明の実施の形態を説明する。
【００１２】
図１ないし図３１は本発明の実施の形態に係り、図１は本発明に係る画像診断装置を含む内視鏡診断システムの構成をブロック図で示し、図２は画像診断装置の具体的な構成例をブロック図で示す。図３は画像診断装置の全体動作をフローチャート示し、図４は画像診断装置のコマ数切換処理、画像拡大処理、移動処理およびその他の処理を説明するめのフローチャートを示す。図５は画像診断装置のコマ数切換処理のサブルーチンを示し、図６は画像診断装置の画像拡大処理のサブルーチンを示し、図７は画像診断装置の移動処理のサブルーチンを示す。さらに、図８は画像診断装置のモニタに表示される基準画像を示し、図９は同インデックス画像を示す。図１０ないし図１２はコマ数切換処理によって得られる画像の例を示す。図１３ないし図２６は画像拡大処理によって得られる画像の例を示す。図２７ないし図３１は移動処理によって得られる画像の例を示す。
【００１３】
図１に示す内視鏡診断システム１は、大別すると、内視鏡２と、内視鏡補助装置３と、画像ファイル装置４と、画像診断装置５とを備え、次のように構成されている。
【００１４】
内視鏡２は、被検体内に挿入できるように構成されている。内視鏡補助装置３は、内視鏡装置６と、モニタ７とからなる。内視鏡装置６は、内視鏡２に照明光を供給する光源装置（図示せず）、および、内視鏡２で撮像した撮像信号を処理するビデオプロセッサ（図示せず）などから構成されている。モニタ７は、内視鏡装置６で処理された内視鏡画像を表示できる。
【００１５】
内視鏡装置６には画像ファイル装置４が接続されている。画像ファイル装置４は、内視鏡装置６からの内視鏡画像が記録蓄積されるようになっている。
【００１６】
画像診断装置５は、パーソナルコンピュータ等で構成したファイル管理装置８と、モニタ９と、キーボード１０と、マウス１１とからなる。このファイル管理装置８には画像ファイル装置４が接続されており、ファイル管理装置８は画像ファイル装置４に自由にアクセス可能になっている。また、ファイル管理装置８にはモニタ９が接続されており、ファイル管理装置８において処理した画像をモニタ９において表示できるようになっている。また、ファイル管理装置８にはキーボード１０およびマウス１１が接続されており、画像処理や表示その他の処理をする上で必要な情報をファイル管理装置８に入力できるようになっている。
【００１７】
また、画像診断装置５のファイル管理装置８は、図示しないが、中央演算処理装置（ＣＰＵ）、主メモリ、２次キャッシュメモリ、ＲＯＭ、シリアルポート、パラレルポート、キーボード等の入力ドライバ、ハードディスク装置、その他の回路から構成されている。
【００１８】
この画像診断装置５はファイル管理装置８が画像検索処理を実行することにより、コマ数切換処理、画像拡大処理および移動処理のいずれか一つ、あるいは二つ、あるいは全部を処理することができる。
【００１９】
加えて、画像診断装置５のファイル管理装置８は、ハードディスク装置に記憶されている診断画像表示方法に係る処理プムグラムを主メモリに移し、この診断画像表示方法に係る処理フログラムを実行することにより、図２に示す各手段を実現する。この図２に示す各手段は、要するに、上記拡大処理に伴う各種の画像処理を実行するものである。
【００２０】
図２において、画像診断装置５は、ファイル管理装置８が上記診断画像表示方法に係る処理プログラムを実行することにより、インデックス画像作成手段５１と、拡大表示指示手段５２と、拡大処理手段５３と、縮小処理手段５４と、合成画像信号生成手段５５、疑似画像信号生成手段５６、補助画像信号生成手段５７とを実現する。
【００２１】
さらに説明すると、このインデックス画像作成手段５１は、画像ファイル装置４から得た複数の画像信号に基づき、該画像信号の取得順序と対応した順序で画像を並べてなるインデックス画像を作成する。
【００２２】
拡大表示指示手段５２は、前記インデックス画像中の任意の画像に対して拡大表示指示可能になっている。この拡大表示指示手段５２は、例えばマウス１１にてモニタ９の画面上に表示されたポインタを移動させることにより、所望の画像を指定し、当該画像について拡大指示できるようになっている。
【００２３】
拡大処理手段５３は、拡大表示指示手段５２によって指示された前記インデックス画像中の所定の画像を拡大処理することができる。
【００２４】
縮小処理手段５４は、拡大処理手段５３による拡大処理に応じて、前記インデックス画像を縮小処理することができる。
【００２５】
疑似画像信号生成手段５６は、後述する比較モード時の比較対象の画像に代わる疑似画像を生成する。
【００２６】
補助画像信号生成手段５７は、後述する比較モード時の画像及び疑似画像からなる補助画像を生成する。
【００２７】
合成画像信号生成手段５５は、拡大処理手段５３で拡大処理された拡大画像信号と縮小処理手段５４で縮小処理された縮小画像信号とに基づき、あるいは比較モード時の拡大画像信号及び補助画像とに基づき、前記画像信号の取得順序と対応した順序を表す画像配列の合成画像信号を生成することができる。
【００２８】
次に、図３ないし図７のフローチャートおよび図８ないし図３１の表示画面を参照して内視鏡診断システムにおける画像診断装置の全動作を説明し、その後に拡大処理の詳細について説明する。
【００２９】
まず、図３に示す画像診断装置５の全体動作を説明する。画像診断装置５のファイル管理装置８は、電源が入ると（図３のステップ（Ｓ１））、モニタ９に図８に示すような診断画面１１０を表示する（Ｓ２）。
【００３０】
診断画面１１０は、内視鏡補助装置３の内視鏡装置６から得られた内視鏡画像１１１と、キーボード１０などから入力された患者データ１１２から構成されている。
【００３１】
この状態において、画像検索画面を表示することをキーボード１０などから指示すると、ファイル管理装置８はこれを検出し（Ｓ３；ＹＥＳ）、画像ファイル装置４に記録されている画像の中から所望とする内視鏡診断における画像を検索してモニタ９に出力する（Ｓ５）。これにより、モニタ９には、図９に示すインデックス画像１２０ａが表示される。なお、画像検索処理については後に詳述する。また、画像検索処理を終了した後には（Ｓ５）、さらに診断画面を表示するか判定し（Ｓ６）、診断画面であれば（Ｓ５；ＹＥＳ）、再び、診断画像表示処理に戻る（Ｓ２）。また、診断画面でなければ（Ｓ５；ＮＯ）、終了か否かの入力待ちになる（Ｓ７）。ここで、診断終了であれば（Ｓ７；ＹＥＳ）、電源オフとして処理を終了する（Ｓ８）。また、診断終了でなければ（Ｓ７；ＮＯ）、検索画面処理に移行する（Ｓ５）。
【００３２】
一方、検索しない場合には（Ｓ３；ＮＯ）、終了か否かを入力する（Ｓ４）。終了でなければ（Ｓ４；ＮＯ）、再び、診断画像表示処理に戻る（Ｓ１）。終了ならば（Ｓ４；ＹＥＳ）、電源をオフにして処理を終了する（Ｓ８）。
【００３３】
画像診断装置５は、ファイル管理装置８が上述したように全体動作を実行することにより、全体的な動作を処理することになる。
【００３４】
次に、図４を参照して検索処理について詳細に説明する。この検索処理は、上述したように、「コマ数切換処理」と、「画像拡大処理」と、「移動処理」とからなる。
【００３５】
画像診断装置５は、ファイル管理装置８が図４のフローチャートを実行することにより（Ｓ５０１）、次のような処理を行なうことになる。
【００３６】
画像診断装置５のファイル管理装置８は、画像を検索する画像ファイル装置やファイル名を指定入力を待つ（Ｓ５０２）。
【００３７】
ここで、画像ファイル装置やファイル名が入力されたときに（Ｓ５０２）、画像診断装置５のファイル管理装置８は、その入力されたファイルを検索し（Ｓ５０３）、かつ、ファイル管理装置８内に実現されたインデックス画像作成手段５１の作用により、画像ファイル装置４に記録された複数の画像信号を取り込み、当該画像信号の取得順序に対応した順序で画像を並べてなるインデックス画像を作成するとともに、移動指示ボタンの画像も作成し、これらを合成してインデックス画像にしてモニタ９に出力する。これにより、モニタ９には、図９に示すようなインデックス画像１２０ａが表示される。
【００３８】
このインデックス画像１２０ａは、図９に示すように、８枚の縮小画像１２１，１２２，…，１２８と、４枚の切り欠かれた縮小画像１２９，１３０，…，１３２と、指示ボタン１３５とからなる。各縮小画面１２１，１２２，…，１３２には、取得順序を示す番号〔“１”，“２”，“３”，…，“１１”〕が付されている（縮小画像１３２には指示ボタン１３５が重なっているため番号がない）。この切り欠かれた画像１２９，１３０，…，１３２は、８枚の縮小画像１２１，１２２，…，１２８以上の画像があることを示すためである。また、指示ボタン１３５は、上指示ボタン１３５Ｕ、下指示ボタン１３５Ｄ、右指示ボタン１３５Ｒ、および左指示ボタン１３５Ｌ、５コマ表示指示ボタン１３５ａ、４コマ表示指示ボタン１３５ｂ、３コマ表示指示ボタン１３５ｃ、右下ジャンプ指示ボタン１３５ｄ、左上ジャンプ指示ボタン１３５ｅとから構成されている。
【００３９】
次に、画像診断装置５のファイル管理装置８は、コマ数切換処理かを判断してコマ数切換処理でなければ（Ｓ５０５；ＮＯ）、画像拡大処理かを判断して画像拡大処理でなければ（Ｓ５０７；ＮＯ）、移動処理かを判断して移動処理でなければ（Ｓ５０９；ＮＯ）、他画像処理かを判断して他画面処理でなければ（Ｓ５１１；ＮＯ）、検索終了かの判断をして検索終了でなければ（Ｓ５１２；ＮＯ）、コマ数切換処理の判断（Ｓ５０４）に戻る。また、他画像処理と指定されたときには（Ｓ５１１；ＹＥＳ）、ファイル管理装置８はファイル装置等の入力待ち（Ｓ５０２）に戻る。
【００４０】
ここで、コマ数切換処理であると指定されたときには（Ｓ５０５；ＹＥＳ）、コマ数切換処理に移行する（Ｓ５０６）。このコマ数切換処理（Ｓ５０６）に移行すると、ファイル管理装置８は、図５に示すフローチャートを実行する。
【００４１】
まず、コマ数切換処理を開始すると（Ｓ５０６１）、ファイル管理装置８は、５コマ表示指示ボタン１３５ａによる５コマ表示指示か否かを判定する（Ｓ５０６２）。このとき、ファイル管理装置８が５コマ表示指示でない旨の入力があったときには（Ｓ５０６２；ＮＯ）、４コマ表示指示かを判定する（Ｓ５０６４）。５コマ表示指示があったときには（Ｓ５０６２；ＹＥＳ）、ファイル管理装置８は、５コマ表示処理を実行してその画像信号をモニタ９に供給して次の処理に移行する（Ｓ５０６３）。これにより、モニタ９には、図１０に示すように、一行５枚で２行に配置された縮小画像１２１，１２２，…，１３０と、一行２枚の縮小画像１３１，１３２とからなるインデックス画像１２０ｂが表示されることになる。
【００４２】
次に、ファイル管理装置８は、４コマ表示指示ボタン１３５ｂによる４コマ表示指示が入力されたか否かを判定し（Ｓ５０６４）、４コマ表示指示でない旨の入力があったときには（Ｓ５０６４；ＮＯ）、３コマ表示指示かを判定する（Ｓ５０６６）。４コマ表示指示があったときには（Ｓ５０６４；ＹＥＳ）、ファイル管理装置８は、４コマ表示処理を実行してその画像信号をモニタ９に供給して次の処理に移行する（Ｓ５０６５）。これにより、モニタ９には、図１１に示すように、一行４枚で２行に配置された縮小画像１２１，１２２，…，１２８と、切り欠かれた画像１２９，１３０，…，１３２とからなるインデックス画像１２０ｃが表示されることになる。
【００４３】
さらに、ファイル管理装置８は、３コマ表示指示ボタン１３５ｃによる３コマ表示指示が入力されたか否かを判定し（Ｓ５０６６）、３コマ表示指示でない旨の入力があったときには（Ｓ５０６６；ＮＯ）、この処理を終了する（Ｓ５０６８）。３コマ表示指示があったときには（Ｓ５０６６；ＹＥＳ）、ファイル管理装置８は、３コマ表示処理を実行してその画像信号をモニタ９に供給して次の処理に移行する（Ｓ５０６７）。これにより、モニタ９には、図１２に示すように、一行３枚で２行に配置された縮小画像１２１，１２２，…，１２６からなるインデックス画像１２０ｄが表示されることになる。
【００４４】
次に、画像拡大処理であると指定されたときには（Ｓ５０７；ＹＥＳ）、画像拡大処理に移行する（Ｓ５０８）。この画像拡大処理（Ｓ５０６）に移行すると、ファイル管理装置８は、図６に示すフローチャートを実行する（Ｓ５０８１）。
【００４５】
まず、画像診断装置５のファイル管理装置８内の拡大表示指示手段５２は、マウス１１によってモニタ９の画面中を移動するポインタＰの位置を特定するとともに、当該位置の画像について拡大指示があったか否かを判定している（Ｓ５０８２）。
【００４６】
ここで、１回拡大画像の指示があったときには（Ｓ５０８２；ＹＥＳ）、拡大表示指示手段５２は、当該ポインタＰの位置と、当該位置の画面を画像拡大処理の指示を拡大処理手段５３に行なう（Ｓ５０８３）。これにより、画像診断装置５のファイル管理装置８内の拡大処理手段５３は、当該拡大処理手段５３で指示された前記インデックス画像１２０ａの内の所定の画像を拡大処理するとともに縮小処理手段５４に指令を与える（Ｓ５０８４）。このときに、拡大処理手段５３は、画像１２１を拡大処理する際に、モニタ９の画面の中央方向に画像１２１を拡大するように処理する。縮小処理手段５４は、前記拡大処理手段５３による拡大処理に応じて、前記インデックス画像１２０ａの内の所定の縮小画像を縮小処理をする（Ｓ５０８５）。この場合、縮小処理手段５４は、中心側にある画像を縮小処理する。
【００４７】
拡大表示指示手段５２のポインタＰによって例えば縮小画像１２１が拡大指示されたとすると、この画像１２１について拡大処理手段５３は拡大処理をする。また、拡大処理手段５３は当該画像１２１を拡大処理したことを縮小処理手段５４に与える。縮小処理手段５４は、当該画像１２１の周囲の画像１２２，１２５，１２６を縮小処理することになる。
【００４８】
そして、拡大処理手段５３からの拡大画像信号と、縮小処理手段５４からの縮小信号とを合成画像信号生成手段５５に与える。合成画像信号生成手段５５は、前記拡大画像信号、縮小画像信号およびその他の画像信号を取り込み、前記画像信号の取得順序と対応した順序を表す合成画像信号を形成してモニタ９に出力する（Ｓ５０８６）。
【００４９】
これにより、モニタ９には、図１３に示すように、拡大画像１２１と、縮小画像１２２，１２５，１２６と、拡大も縮小もされない画像１２３，１２４，１２７，１２８，…，１３２とからなるインデックス画像１２０ｅが表示されることになる。
【００５０】
なお、図１４は、上述した１回拡大の一連の処理（Ｓ５０８３〜Ｓ５０８６）を画像１２２に適用した例を説明するためのものであり、画像１２２を拡大したときの周囲の画像１２１，１２５，１２６を縮小した例を示したインデックス画像１２０ｆである。このとき、拡大処理手段５３は当該画像１２２を外側に拡大処理し、縮小処理手段５４は当該画像１２２の外側にある画像を縮小処理する。
【００５１】
また、図１５は、上述した１回拡大の一連の処理（Ｓ５０８３〜Ｓ５０８６）を画像１２７に適用した例を説明するためのものであり、画像１２７を拡大したときの周囲の画像１２３，１２４，１２８を縮小した例を示したインデックス画像１２０ｇである。このとき、拡大処理手段５３は当該画像１２７を外側（上側および右側）に拡大処理し、縮小処理手段５４は当該画像１２２の外側（上側および右側）にある画像を縮小処理する。
【００５２】
この合成画像信号を生成した後（Ｓ５０８６）、あるいは、１回拡大画像ではないときには（Ｓ５０８２；ＮＯ）、ファイル管理装置８は、２回拡大か否かを判定する（Ｓ５０８７）。
【００５３】
ここで、画像診断装置５のファイル管理装置８内の拡大表示指示手段５２は、マウス１１によってモニタ９の画面中を移動するポインタＰの位置を特定するとともに、当該位置の画像について拡大指示があったか否かを判定している（Ｓ５０８７）。
【００５４】
ここで、２回拡大画像の指示があったときには（Ｓ５０８７；ＹＥＳ）、拡大表示指示手段５２は、当該ポインタＰの位置と、当該位置の画面を画像拡大処理の指示を拡大処理手段５３に行なう（Ｓ５０８８）。これにより、画像診断装置５のファイル管理装置８内の拡大処理手段５３は、当該拡大処理手段５３で指示された前記インデックス画像１２０ｅの内の１回拡大した画像をさらに拡大処理するとともに縮小処理手段５４に指令を与える（Ｓ５０８９）。縮小処理手段５４は、前記拡大処理手段５３による拡大処理に応じて、前記インデックス画像１２０たの内の所定の縮小画像を縮小処理をする（Ｓ５０９０）。
【００５５】
これは、拡大表示指示手段５２のポインタＰによって縮小画像１２１が１回拡大されているものとすると、この１回拡大された画像１２１について拡大処理手段５３は２回拡大拡大処理を実行する。また、拡大処理手段５３は当該画像１２１を拡大処理したことを縮小処理手段５４に与える。縮小処理手段５４は、当該画像１２１の周囲の画像１２２，１２３，１２５，１２６，１２７，１３０，１３１を縮小処理する。
【００５６】
そして、拡大処理手段５３からの拡大画像信号と、縮小処理手段５４からの縮小信号とは合成画像信号生成手段５５に与えられる。合成画像信号生成手段５５は、前記拡大画像信号、縮小画像信号、その他の画像信号を取り込み、前記画像信号の取得順序と対応した順序を表す合成画像信号を形成してモニタ９に出力する（Ｓ５０９１）。これにより、モニタ９には、図１６に示すように、２回拡大されか拡大画像１２１と、縮小画像画像１２２，１２３，１２５，１２６，１２７，１３０，１３１と、拡大も縮小もされない画像１２４，１２８，１３２とからなるインデックス画像１２０ｈが表示されることになる。
【００５７】
なお、図１７は、上述した２回拡大の一連の処理（Ｓ５０８８〜Ｓ５０９１を画像１２２に適用し、画像１２２を２回拡大したときの周囲の画像１２１，１２３，１２５，１２６，１２７を縮小した例を示したインデックス画像１２０ｉである。
【００５８】
また、図１８は、上述した２回拡大の一連の処理（Ｓ５０８８〜Ｓ５０９１を画像１２７に適用し、画像１２７を拡大したときの周囲の画像１２２，１２３，１２４，１２６，１２８，１３０を縮小した例を示したインデックス画像１２０ｊである。
【００５９】
この合成画像信号を生成した後（Ｓ５０９１）、あるいは、２回拡大画像ではないときには（Ｓ５０８７；ＮＯ）、ファイル管理装置８は、画像比較モードか否かを判定する（Ｓ５０９２）。
【００６０】
画像比較モードの指示がされると（Ｓ５０９２；ＹＥＳ）、ファイル管理装置８は、２画面比較か否かの判定をする（Ｓ５０９３）。ここで、例えば図１８に示すインデックス画像１２０ｊの２回拡大画像１２７をポインタＰで指示し、マウス１１をクリックすると、２画面比較の処理と判定される（Ｓ５０９３；ＹＥＳ）。すると、画像診断装置５のファイル管理装置８は、二画面比較処理を実行させて疑似画像信号生成手段５６を動作させ、この疑似画像信号生成手段５６により２画面比較処理用の画像を作成する（Ｓ５０９４）。これにより、モニタ９には、図１９に示すように、２回拡大画像１２７が縁取りされて、２画面比較モードになったことを表示する。
【００６１】
このとき、ファイル管理装置８は、補助画像信号生成手段５７を実現させることにより、２画面比較モードによる画像１２１，１２２，…，１２８に対して取得順序と所定の縮小処理を施して補助画像信号を生成する。すると、合成画像信号生成手段５５には、補助画像信号と疑似信号と拡大された画像信号を取り込み、合成してモニタ９に与える。これにより、モニタ９には、図２０に示すように、例えば拡大された画像１２７と、その画像１２７の上に一列に縮小配置された補助画像を構成する画像１２１，画像１２２，…，疑似画像１２７ａ，画像１２８と、その画像１２７の下に一列に配置された画像１２９，１３０，１３１，１３２とからなるインデックス画像１２０ｋが表示される。
【００６２】
ここで、比較したい画像、例えば画像１２２をポインタＰによって指示しマウス１１をクリックすると、拡大表示指示手段５２が動作し、ファイル管理装置８は、拡大処理手段５３を動作させて、拡大処理手段５３によって当該画像１２２を２回拡大処理を実行し、この画像信号を合成画像信号生成手段５５に与える。また、合成画像信号生成手段５５には、その他の疑似画像信号、補助画像信号も与えられている。合成画像信号生成手段５５は、これらの画像信号を合成し、これをモニタ９に与える。これにより、モニタ９には、図２１に示すように、インデックス画像１２０ｍが表示される。
【００６３】
このインデックス画像１２０ｍは、図２１に示すように、２回拡大画像１２７と、比較指示がなされた２ 回拡大画像１２２と、これら画像１２２，１２７の上に補助画像を構成する小さく縮小した画像１２１，疑似画像１２２ａ，…，疑似画像１２７ａ，画像１２８と、縮小されないままの画像１２９，１３０，…，１３２とから構成されている。
【００６４】
なお、拡大画像１２２、１２７の上に配置されている縮小疑似画像１２２ａと、縮小疑似画像１２７ａは、単に番号〔“２”，“７”〕が表示されるだけとなる。これにより、拡大されている画像が何番目に取得した画像であるかを容易に確認することができる。
【００６５】
また、図２１に示すインデックス画像１２０ｍにおいて、番号〔“２”〕を示す縮小疑似画像１２２ａをクリックすると、ファイル管理装置８は、画像１２２に対する拡大処理をやめて画像１２２に縮小処理を施し、上の列に戻す画像処理を実行する。これにより、モニタ９には、図２０に示すように、２回拡大処理された画像１２７のみが残り、他の画像１２１，画像１２２，…，疑似画像１２７ａ，画像１２８が画像１２７の上に一列に表示されることになる。したがって、使用者は、図２０に示すインデックス画像１２０ｋを見て他の比較したい画像を指定することができる。
【００６６】
２画面比較でないか（Ｓ５０９３；ＮＯ）、あるいは２画面比較処理を終了すると（Ｓ５０９４）、ファイル管理装置８は、３画面比較の処理か否かの判断をする（Ｓ５０９５）。
【００６７】
次に、３画面比較処理について説明する。３画面比較処理の場合、モニタ９の画面のサイズによる制約があるため、１回拡大処理をした画面のときのみ行なうことができる。
【００６８】
いま、モニタ９には、図２２に示すように、１回拡大した画面１２８を含むインデックス画像１２０ｎが表示されているものとする。このときに、ポインタＰをインデックス画像１２０ｎの１回拡大画像１２８を指示し、マウス１１をクリックすると（Ｓ５０９５；ＹＥＳ）、拡大表示指示手段５２が動作するとともに、疑似画像信号生成手段５６が動作し、３画面比較処理モードになる（Ｓ５０９６）。すなわち、ファイル管理装置８は疑似画像信号生成手段５６を動作させて、疑似画像信号生成手段５６によりインデックス画像１２０ｎの内の画像１２８が縁取りされるように画像生成を行なう。
【００６９】
さらにファイル管理装置８は補助画像信号生成手段５７を動作させて、画像１２１，１２２，…，１３２を縮小するとともに拡大画像１２８の上に画像１２１，１２２，…，１２８を配置する補助画像信号を生成し、かつ、画像１２９，１３０，１３１，１３２を拡大画像１２８の下に配置する補助画像信号を生成する。この補助画像信号や疑似画像信号は合成画像信号生成手段５５に与えられて、合成画像信号生成手段５５によって合成される。その合成された画像信号は、図２３に示すようなインデックス画像１２０ｐがモニタ９に与えられる。なお、図２３においては、このインデックス画像１２０ｐの内の任意の画像、例えば画像１２３をマウス１１でポインタＰで指示しマウス１１をクリックし、拡大表示指示手段５２及び拡大処理手段５３を動作させて、画像１２３を１回拡大処理している。この際に、ファイル管理装置８による拡大処理手段５３は、拡大画像１２３，１２８の上に配列されている画像１２３，１２８については取得番号〔“３”，“８”〕のみがその枠内いっぱいに表示された疑似画像１２３ａ，１２８ａが画像処理によりモニタ９に与えている。
【００７０】
これにより、モニタ９には、図２３に示すように、拡大画像１２３，１２８と、その画像１２３，１２８の上に補助画像を構成する画像１２１，画像１２２，疑似画像１２３ａ，…，疑似画像１２８ａが小さく縮小されて一列に配列された状態で表示される。そして、任意の画像１２１，１２２，１２４，…，１２７から一つ選択することにより、その選択された画像が拡大処理手段５３により１回拡大されて拡大画像１２８の右隣に表示されることになる。
【００７１】
なお、モニタ９に表示されている図２２に示したインデックス画像１２０ｎは拡大されたが、画像１２３，１２８および任意の選択された画像については、拡大画像１２３，１２８および選択された画像の上に、一列に縮小され配列された画像には取得番号〔“３”，“８”，“Ｘ”（Ｘは任意の画像取得番号）〕のみを示す疑似画像１２３ａ，１２８ａ，１２Ｘａが表示されることになる。また、拡大画像１２３，１２８，１２Ｘの下には、縮小画像１２１，１２２，…，１２８の続きの画像が表示されるが、本実施の形態では、画像１３２までしかないため、この画像の存在を示す大きさの画像（元のインデックス画像１２０ａにおける大きさ）に表示している。
【００７２】
ここで、画像１３２が指示されたとすると、ファイル管理装置８は、拡大表示指示手段５２および拡大処理手段５３を動作させ、画像１３２について拡大処理手段５３によって１回拡大処理を施し、拡大画面１２８の隣に配置する画像処理を実行しモニタ９に与える。これにより、モニタ９には、図２４に示すように、１回拡大画像１２３，１２８，１３２が表示されるとともに、拡大画像１２３，１２８，１３２の上に補助画像を構成する画像１２１，画像１２２，疑似画像１２３ａ，…，疑似画像１２８ａが縮小された状態で一列に配列され、かつ、拡大画像１２３，１２８，１３２の下に画像１２９，画像１３０，…，疑似画像１３２ａが配置されたインデックス画像１２０ｑが表示されることになる。なお、拡大された画像１２３，１２８，１３２に関する各縮小表示されている当該画像については取得番号〔“３”，“８”，“１２”〕のみの疑似画像が表示されている。
【００７３】
また、指示ボタン１３５の右指示ボタン１３５ＲにポインタＰがおかれて移動指示が入力されると、ファイル管理装置８は、縮小画像１２１，１２２，…，１３２のみを移動させる画像処理を実行する。この場合、ファイル管理装置８は、拡大画像１２３，１２８，１３２の疑似画像が画面から外れることがないように画像処理をしている。つまり、モニタ９には、図２５に示すように、拡大された画像１２３の疑似画像１２３ａが画面から外れないような状態で表示されている。
【００７４】
３画面比較処理でないか（Ｓ５０９５；ＮＯ）、あるいは３画面比較処理モードが終了したか（Ｓ５０９６）、あるいは画像比較モードでないときには（Ｓ５０９２；ＮＯ）、画像を元に戻すか否かの判定を行なう（Ｓ５０９７）。ここで、画像を元に戻すと指示されたときには（Ｓ５０９７；ＹＥＳ）、ファイル管理装置８は、ポインタＰの位置を特定し、マウス１１で拡大画像の取得番号〔“１”，“２”，…、または、“１１”〕がクリックされたか判定する。いま、例えば拡大画像が画像１２１であったとする。このときに、拡大画像１２１の取得番号〔“１”〕がマウス１１によってクリックされたとすると、ファイル管理装置８は、拡大画像１２１について縮小処理を施す（Ｓ１０１）。これにより、モニタ９には、図２６に示すように、元のインデックス画像１２０ａ（図９参照）と同じインデックス画像１２０ｒが表示されることになる。
【００７５】
そして、元に戻す処理でないか（Ｓ５０９７；ＮＯ）、あるいは画像縮小処理が終了したときには（Ｓ５０９８）、画像拡大処理を終了する（Ｓ５０９９）。
【００７６】
次に、移動処理の場合には（図４のＳ５０９，Ｓ５１０）、ファイル管理装置８は、図４の移動処理に移行する（Ｓ５１０１）。
【００７７】
まず、画像診断装置５のファイル管理装置８は、左右の移動か否かを判断する（Ｓ５１０２）。ポインタＰが指示ボタン１３５の上指示ボタン１３５Ｕ、下指示ボタン１３５Ｄを指示してクリックやドラッグされたときには（Ｓ５１０２；ＹＥＳ）、ファイル管理装置８は、左右の移動処理を実行する（Ｓ５１０３）。
【００７８】
例えば、右指示ボタン１３５ＲをポインタＰで指示しクリック等をすると、ファイル管理装置８は、一番最初の画像（画像１２１が相当）がモニタ９の表示エリアから消去し、他の画面（画像１２２，１２３，…，１３２が相当）を一つづつ繰り上げる処理を実行する。これにより、モニタ９には、図２７に示すように、一番上の列には画像１２２，１２３，…，１２５と、次の列には画像１２６，１２７，…，１２９と、最下列には画像１３０，１３１，１３２とからなるインデックス画像１２０ｓが表示される。また、インデックス画像１２０ｓには、空白エリア１４０が表示されることにより、画像１３２より以下には画像がないことがわかるようになっている。
【００７９】
一方、ファイル管理装置８は、上下の移動か否かを判断する（Ｓ５１０４）。ポインタＰが指示ボタン１３５の左指示ボタン１３５Ｌ、右指示ボタン１３５Ｒを指示してクリックやドラッグされたときには（Ｓ５１０２；ＹＥＳ）、ファイル管理装置８は、上下の移動処理を実行する（Ｓ５１０３）。この場合、ファイル管理装置８は、一行ごとに移動するように画像処理を実行しモニタ９に画像信号を与える。これにより、モニタ９には、図２８に示すように、画像１２６，１２７，…，１２９と、その下に画像１３０，１３１，１３２とからなるインデックス画像１２０ｔが表示されることになる。また、このインデックス画像１２０ｔには空白エリア１４０が表示されることにより、画像１３２より以降に画像がないことを示している。
【００８０】
なお、左右移動処理（Ｓ５１０３）、あるいは、上下移動処理（Ｓ５１０５）を行っても、ファイル管理装置８は、少なくとも一つの画像が残るように画像処理を実行している。これにより、モニタ９には、図２９に示すように、例えば画像１３２が残った状態に表示される。
【００８１】
次に、ファイル管理装置８はジャンプ処理の実行に入る。指示ボタン１３５の左上のエリアにある左上ジャンプ指示ボタン１３５ｅにポインタＰを配置し、クリック等をすれば、左上へジャンプする指令が入力できる。これにより、左上ジャンプであると判断され（ステップ５１０７；ＹＥＳ）、ファイル管理装置８は、左上ジャンプ処理を実行する（Ｓ５１０８）。これにより、モニタ９には、図３０に示すように、インデックス画像１２０ａと同様なインデックス画像１２０ｕが表示されることになる。
【００８２】
また、指示ボタン１３５の右下のエリアにある右下ジャンプ指示ボタン１３５ｄにポインタＰを配置し、クリック等をすれば、右下へジャンプする指令を入力できる。これにより、右下ジャンプであると判断され（ステップ５１０７；ＹＥＳ）、ファイル管理装置８は、右下ジャンプ処理を実行する（Ｓ５１０８）。これにより、図３１に示すように、モニタ９には、インデックス画像１２０ｖが表示されることになる。すなわち、インデックス画像１２０ｖは、画像１２５，１２６，１２７，１２８が一番上の列に配置され、次の行に画像１２９，１３０，１３１，１３２が配置された状態になる。
【００８３】
そして、右下ジャンプ指示ではなく（Ｓ５１０９；ＮＯ）、右下ジャンプ処理を終了し（Ｓ５１１０）、あるいは、ジャンプ指令でもないときには（Ｓ５１０６；ＮＯ）、移動処理を終了する（Ｓ５１１１）。
【００８４】
本実施の形態は、以上のように動作し、以下のような効果を有する。
【００８５】
（１）複数の画像の中から特定の画像を表示し、あるいは、拡大比較表示する際でも、当初から表示されている画像の全てが表示されており、拡大等があっても画面から他の画像が欠落することがない。したがって、画像比較するときなどに、他の画像を容易に確認することができ、操作が容易で使い勝手がよく、確実なる判断を可能とする情報を提供できる。
【００８６】
（２）また、複数の画像の中から特定の画像を表示し、あるいは、拡大比較表示する際でも、取得順序の情報が表示されているので、診断に必要な取得情報を提供することができ、かつ、操作性が向上する。
【００８７】
なお、上述した実施の形態では、１２枚の画像１２１，１２２，…，１３２からなるもので説明したが、これに限定されるものではなく、何枚の画像であってもよい。
【００８８】
〔付記〕
１．被検体内に挿入される内視鏡と、該内視鏡で得られた撮像信号を処理する内視鏡装置と、前記内視鏡装置からの画像信号を記録する画像記録装置と、前記画像記録装置からの画像信号を画像処理して診断画像を生成する画像診断装置とを備えた内視鏡診断システムにおいて、
前記画像診断装置は、
前記画像記録装置からの複数の画像信号に基づき所定の順序で画像を並べてなるインデックス画像を作成するインデックス画像作成手段と、
前記インデックス画像中の任意の画像に対して拡大表示指示可能な拡大表示指示手段と、
前記拡大表示指示手段によって指示された前記インデックス画像中の所定の画像を拡大処理する拡大処理手段と、
前記拡大処理手段による拡大処理に応じて前記インデックス画像中の非拡大処理画像のうちの所定のインデックス画像を縮小処理する縮小処理手段と、
前記拡大処理手段で拡大処理された拡大画像信号と前記縮小処理手段で縮小処理された縮小画像信号とに基づき前記所定の順序と対応した順序を表す画像配列の合成画像信号を生成する合成画像生成手段と
を備えたことを特徴とする内視鏡診断システム。
【００８９】
２．複数の画像信号に基づき所定の順序で画像を並べてなるインデックス画像を作成するインデックス画像作成手段と、
前記インデックス画像中の任意の画像に対して拡大表示指示可能な拡大表示指示手段と、
前記拡大表示指示手段によって指示された前記インデックス画像中の所定の画像を拡大処理する拡大処理手段と、
前記拡大処理手段による拡大処理に応じて前記インデックス画像中の非拡大処理画像のうちの所定のインデックス画像を縮小処理する縮小処理手段と、
前記拡大処理手段で拡大処理された拡大画像信号と前記縮小処理手段で縮小処理された縮小画像信号とに基づき前記画像信号の順序と対応した順序を表す画像配列の合成画像信号を生成する合成画像生成手段と
を具備したことを特徴とする画像診断装置。
【００９０】
３．複数の画像信号に基づき所定の順序で画像を並べてなるインデックス画像を作成するがインデックス画像作成手段と、
前記インデックス画像中の任意の画像に対して拡大表示指示可能な拡大表示指示手段と、
前記拡大表示指示手段によって指示された前記インデックス画像中の所定の画像を拡大処理する拡大処理手段と、
前記拡大処理手段による拡大処理に応じて前記インデックス画像中の非拡大のインデックス画像を縮小処理して縮小インデックス画像信号を作成する縮小処理手段と、
前記拡大表示手段によって指示された画像に対応する前記インデックス画像に対して該画像を特定する疑似画像信号を生成する疑似画像信号生成手段と、
前記縮小インデックス画像信号と前記疑似画像信号とに基づき前記所定の順序と対応した順序を表す画像配列の補助画像信号を生成する補助画像信号生成手段と、
前記補助画像信号生成手段で生成された補助画像信号と前記拡大処理手段で生成された拡大画像信号とに基づき合成画像信号を生成する合成画像信号生成手段と
を具備したことを特徴とする画像診断装置。
【００９１】
４．複数の画像信号に基づき所定の順序で画像を並べてなるインデックス画像を作成するインデックス画像作成手段と、
前記インデックス画像中の任意の画像に対して拡大表示指示可能な拡大表示指示手段と、
前記拡大表示指示手段によって指示された前記インデックス画像中の所定の画像を拡大処理する拡大処理手段と、
前記拡大処理手段による拡大処理に応じて該拡大処理されるインデックス画像に隣接するインデックス画像を縮小処理する縮小処理手段と、
前記拡大処理手段で拡大処理された拡大画像信号と前記縮小処理手段で縮小処理された縮小画像信号とに基づき前記所定の順序と対応した順序を表す画像配列の合成画像信号を生成する合成画像信号生成手段と
を具備したことを特徴とする画像診断装置。
【００９２】
５．複数の画像信号に基づき所定の順序で画像を並べてなるインデックス画像を作成するインデックス画像作成手段と、
前記インデックス画像中の任意の画像に対して複数段階の大きさで拡大表示指示可能な拡大表示指示手段と、
前記拡大表示指示手段によって指示された前記インデックス画像中の所定の画像を拡大指示に応じて段階的に拡大処理する拡大処理手段と、
前記拡大処理手段による拡大処理の拡大段階に応じて該拡大処理されるインデックス画像に隣接するインデックス画像を段階的に縮小処理する縮小処理手段と、
前記拡大処理手段で拡大処理された拡大画像信号と前記縮小処理手段で縮小処理された縮小画像信号とに基づき前記所定の順序と対応した順序を表す画像配列の合成画像信号を生成する合成画像信号生成手段と
を具備したことを特徴とする画像診断装置。
【００９３】
６．複数の画像信号に基づき所定の順序で画像を並べてなるインデックス画像を作成するインデックス画像作成手段と、
前記インデックス画像中の任意の複数画像に対して拡大表示可能な拡大表示手段と、
前記拡大表示指示手段によって指示された前記インデックス画像中の所定の画像を拡大処理する拡大処理手段と、
前記拡大処理手段による拡大処理に応じて前記インデックス画像中の非拡大のインデックス画像を縮小処理して縮小インデックス画像信号を作成する縮小処理手段と、
前記拡大処理手段によって指示された画像に対応する前記インデックス画像に対して該画像を特定する疑似画像信号を生成する疑似画像信号生成手段と、
前記縮小インデックス画像信号と前記疑似画像信号とに基づき前記所定の順序と対応した順序を表す補助画像信号を生成する補助画像信号生成手段と、
前記拡大処理手段で拡大処理された複数の画像信号を隣接した画像として表示する隣接画像信号を生成する隣接画像信号生成手段と、
前記補助画像信号生成手段で生成された補助画像信号と前記隣接画像信号生成手段で生成された隣接画像信号とに基づき画像合成信号を生成する画像合成信号生成手段と
を具備することを特徴とする画像診断装置。
【００９４】
７．複数の画像信号に基づき所定の順序で画像を並べてなるインデックス画像を作成するインデックス画像作成工程と、
前記インデックス画像中の任意の画像に対して拡大表示指示可能な拡大表示指示工程と、
前記拡大表示指示工程によって指示された前記インデックス画像中の所定の画像を拡大処理する拡大処理工程と、
前記拡大処理工程による拡大処理に応じて前記インデックス画像中の非拡大処理画像のうちの所定のインデックス画像を縮小処理する縮小処理工程と、
前記拡大処理工程で拡大処理された拡大画像信号と前記縮小処理工程で縮小処理された縮小画像信号とに基づき前記所定の順序と対応した順序を表す画像配列の合成画像信号を生成する合成画像生成工程と
を具備したことを特徴とする診断画像表示方法。
【００９５】
８．複数の画像信号に基づき所定の順序で画像を並べてなるインデックス画像を作成するインデックス画像作成工程と、
前記インデックス画像中の任意の画像に対して拡大表示指示可能な拡大表示指示工程と、
前記拡大表示指示工程によって指示された前記インデックス画像中の所定の画像を拡大処理する拡大処理工程と、
前記拡大処理工程による拡大処理に応じて前記インデックス画像中の非拡大のインデックス画像を縮小処理して縮小インデックス画像信号を作成する縮小処理工程と、
前記拡大表示工程によって指示された画像に対応する前記インデックス画像に対して該画像を特定する疑似画像信号を生成する疑似画像信号生成工程と、
前記縮小インデックス画像信号と前記疑似画像信号とに基づき前記所定の順序と対応した順序を表す画像配列の補助画像信号を生成する補助画像信号生成工程と、
前記補助画像信号生成工程で生成された補助画像信号と前記拡大処理工程で生成された拡大画像信号とに基づき合成画像信号を生成する合成画像信号生成工程と
を具備したことを特徴とする診断画像表示方法。
【００９６】
９．複数の画像信号に基づき所定の順序で画像を並べてなるインデックス画像を作成するインデックス画像作成工程と、
前記インデックス画像中の任意の画像に対して拡大表示指示可能な拡大表示指示工程と、
前記拡大表示指示工程によって指示された前記インデックス画像中の所定の画像を拡大処理する拡大処理工程と、
前記拡大処理工程による拡大処理に応じて該拡大処理されるインデックス画像に隣接するインデックス画像を縮小処理する縮小処理工程と、
前記拡大処理工程で拡大処理された拡大画像信号と前記縮小処理工程で縮小処理された縮小画像信号とに基づき前記所定の順序と対応した順序を表す画像配列の合成画像信号を生成する合成画像信号生成工程と
を具備したことを特徴とする診断画像表示方法。
【００９７】
１０．複数の画像信号に基づき所定の順序で画像を並べてなるインデックス画像を作成するインデックス画像作成工程と、
前記インデックス画像中の任意の画像に対して複数段階の大きさで拡大表示指示可能な拡大表示指示工程と、
前記拡大表示指示工程によって指示された前記インデックス画像中の所定の画像を拡大指示に応じて段階的に拡大処理する拡大処理工程と、
前記拡大処理工程による拡大処理の拡大段階に応じて該拡大処理されるインデックス画像に隣接するインデックス画像を段階的に縮小処理する縮小処理工程と、
前記拡大処理工程で拡大処理された拡大画像信号と前記縮小処理工程で縮小処理された縮小画像信号とに基づき前記所定の順序と対応した順序を表す画像配列の合成画像信号を生成する合成画像信号生成工程と
を具備したことを特徴とする診断画像表示方法。
【００９８】
１１．複数の画像信号に基づき所定の順序で画像を並べてなるインデックス画像を作成するインデックス画像作成工程と、
前記インデックス画像中の任意の複数画像に対して拡大表示可能な拡大表示工程と、
前記拡大表示指示工程によって指示された前記インデックス画像中の所定の画像を拡大処理する拡大処理工程と、
前記拡大処理工程による拡大処理に応じて前記インデックス画像中の非拡大のインデックス画像を縮小処理して縮小インデックス画像信号を作成する縮小処理工程と、
前記拡大処理工程によって指示された画像に対応する前記インデックス画像に対して該画像を特定する疑似画像信号を生成する疑似画像信号生成工程と、
前記縮小インデックス画像信号と前記疑似画像信号とに基づき前記所定の順序と対応した順序を表す補助画像信号を生成する補助画像信号生成工程と、
前記拡大処理工程で拡大処理された複数の画像信号を隣接した画像として表示する隣接画像信号を生成する隣接画像信号生成工程と、
前記補助画像信号生成工程で生成された補助画像信号と前記隣接画像信号生成工程で生成された隣接画像信号とに基づき画像合成信号を生成する画像合成信号生成工程と
を具備することを特徴とする診断画像表示方法。
【００９９】
１２．前記所定の順序は、前記複数の画像信号の取得順序に対応した順序である
ことを特徴とする付記項１に記載の内視鏡診断システム。
【０１００】
１３．前記所定の順序は、前記複数の画像信号の取得順序に対応した順序である
ことを特徴とする請求項１、付記項２ないし６のいずれか１つに記載の画像診断装置。
【０１０１】
１４．前記所定の順序は、前記複数の画像信号の取得順序に対応した順序である
ことを特徴とする請求項２、付記項７ないし１１のいずれか１つに記載の診断画像表示方法。
【０１０２】
従来の画像診断装置では、指定された画像を拡大表示する際に、例えば一連の内視鏡検査中のどの時期（順番）において取得されたものであるかは、何ら考慮されていなかったため、当該システムの画像診断装置を使用する者は、上記インデックス画像を再度表示して確認しなければならず、操作が煩雑で使用勝手が悪いという欠点があった。
【０１０３】
付記項１２、１３、１４では、複数のインデックス画像のうち所定のインデックス画像を拡大しても、画像を取得した順番などを容易に確認できる内視鏡診断システム、画像診断装置および診断画像表示方法を提供する。
【０１０４】
【発明の効果】
以上説明したように本発明によれば、複数のインデックス画像のうち所定のインデックス画像を拡大してもモニタ画面から欠落する画像がなく、拡大比較する際にも、当該比較する画像の情報を常に得ることができ、必要な情報を容易に取り出すことができ、操作性が向上する。
【図面の簡単な説明】
【図１】本発明に係る画像診断装置を含む内視鏡診断システムの構成例を示すブロック図である。
【図２】同画像診断装置の画像拡大処理の具体的構成例を示すブロック図である。
【図３】同画像診断装置の全体動作を説明するために示すフローチャートである。
【図４】同画像診断装置のコマ数切換処理、画像拡大処理、移動処理およびその他の処理を説明するために示すフローチャートである。
【図５】同画像診断装置のコマ数切換処理を説明するために示すフローチャートである。
【図６】同画像診断装置の画像拡大処理を説明するために示すフローチャートである。
【図７】同画像診断装置の移動処理を説明するために示すフローチャートである。
【図８】同画像診断装置のモニタに表示される基準画像を説明するための図である。
【図９】同画像診断装置のモニタに表示される基準インデックス画像を説明するための図である。
【図１０】同画像診断装置よるコマ数切換処理によってモニタ上に表示される画像の第１の例を示す図である。
【図１１】同画像診断装置よるコマ数切換処理によってモニタ上に表示される画像の第２の例を示す図である。
【図１２】同画像診断装置よるコマ数切換処理によってモニタ上に表示される画像の第３の例を示す図である。
【図１３】同画像診断装置による画像拡大処理によってモニタ上に表示される画像の第１の例を示す図である。
【図１４】同画像診断装置による画像拡大処理によってモニタ上に表示される画像の第２の例を示す図である。
【図１５】同画像診断装置による画像拡大処理によってモニタ上に表示される画像の第３の例を示す図である。
【図１６】同画像診断装置による画像拡大処理によってモニタ上に表示される画像の第４の例を示す図である。
【図１７】同画像診断装置による画像拡大処理によってモニタ上に表示される画像の第５の例を示す図である。
【図１８】同画像診断装置による画像拡大処理によってモニタ上に表示される画像の第６の例を示す図である。
【図１９】同画像診断装置による画像拡大処理によってモニタ上に表示される画像の第７の例を示す図である。
【図２０】同画像診断装置による画像拡大処理によってモニタ上に表示される画像の第８の例を示す図である。
【図２１】同画像診断装置による画像拡大処理によってモニタ上に表示される画像の第９の例を示す図である。
【図２２】同画像診断装置による画像拡大処理によってモニタ上に表示される画像の第１０の例を示す図である。
【図２３】同画像診断装置による画像拡大処理によってモニタ上に表示される画像の第１１の例を示す図である。
【図２４】同画像診断装置による画像拡大処理によってモニタ上に表示される画像の第１２の例を示す図である。
【図２５】同画像診断装置による画像拡大処理によってモニタ上に表示される画像の第１３の例を示す図である。
【図２６】同画像診断装置による画像拡大処理によってモニタ上に表示される画像の第１４の例を示す図である。
【図２７】同画像診断装置による移動処理によってモニタ上に表示される画像の第１の例を示す図である。
【図２８】同画像診断装置による移動処理によってモニタ上に表示される画像の第２の例を示す図である。
【図２９】同画像診断装置による移動処理によってモニタ上に表示される画像の第３の例を示す図である。
【図３０】同画像診断装置による移動処理によってモニタ上に表示される画像の第４の例を示す図である。
【図３１】同画像診断装置による移動処理によってモニタ上に表示される画像の第５の例を示す図である。
【符号の説明】
１…内視鏡診断システム
２…内視鏡
３…内視鏡補助装置
４…画像ファイル装置
５…画像診断装置
６…内視鏡装置
７…モニタ
８…ファイル管理装置
９…モニタ
１０…キーボード
１１…マウス
５１…インデックス画像作成手段
５２…拡大表示指示手段
５３…拡大処理手段
５４…縮小処理手段
５５…合成画像信号生成手段
【図１】
0003704444.tif 000002
【図２】
0003704444.tif 000003
【図３】
0003704444.tif 000004
【図４】
0003704444.tif 000005
【図５】
0003704444.tif 000006
【図６】
0003704444.tif 000007
【図７】
0003704444.tif 000008
【図８】
0003704444.tif 000009
【図９】
0003704444.tif 000010
【図１０】
0003704444.tif 000011
【図１１】
0003704444.tif 000012
【図１２】
0003704444.tif 000013
【図１３】
0003704444.tif 000014
【図１４】
0003704444.tif 000015
【図１５】
0003704444.tif 000016
【図１６】
0003704444.tif 000017
【図１７】
0003704444.tif 000018
【図１８】
0003704444.tif 000019
【図１９】
0003704444.tif 000020
【図２０】
0003704444.tif 000021
【図２１】
0003704444.tif 000022
【図２２】
0003704444.tif 000023
【図２３】
0003704444.tif 000024
【図２４】
0003704444.tif 000025
【図２５】
0003704444.tif 000026
【図２６】
0003704444.tif 000027
【図２７】
0003704444.tif 000028
【図２８】
0003704444.tif 000029
【図２９】
0003704444.tif 000030
【図３０】
0003704444.tif 000031
【図３１】
0003704444.tif 000032